(57)【特許請求の範囲】
【請求項１】
頭部と首部とが別部材によって構成されており、両部が弾性体によって互いに牽引するように連結されている首関節構造であって、頭部と首部との間に関節部材が設けられており、頭部には関節部材と接触する面に向かって開口する通孔が形成されており、首部には関節部材と接触する面に向かって開口する通孔が形成されており、関節部材には頭部の通孔と首部の通孔とを連通させる貫通孔が形成されており、弾性体は、関節部材の貫通孔に通され、かつ、頭部の通孔に通された一端が該通孔の開口よりも内方に位置付けられていると共に首部の通孔に通された一端が該通孔の開口よりも内方に位置付けられていることを特徴とする首関節構造。
【請求項２】
関節部材の貫通孔が頭部側から首部側に向かって幅広になるように形成されている請求項１記載の首関節構造。
【請求項３】
関節部材の周面に貫通孔まで達する切欠溝が形成されており、関節部材が切欠溝を介して弾性体に着脱可能に設けられている請求項１又は２のいずれかに記載の首関節構造。
【請求項４】
首部の頭部と対向する面に関節部材の切欠溝に嵌り込んで関節部材の水平方向への回転を規制する突起が設けられており、頭部の前後方向の傾きに伴って関節部材が切欠溝を突起に嵌め込んだ状態で回転する請求項３記載の首関節構造。
【請求項５】
関節部材の切欠溝が貫通孔に向かって幅狭になるように形成されている請求項３又は４のいずれかに記載の首関節構造。
【請求項６】
関節部材に頭部の開口に嵌り込む突起が設けられている請求項１乃至５のいずれかに記載の首関節構造。
【請求項７】
首部の頭部と対向する面の上端が前方から後方に向かって下がるように傾斜している請求項１乃至６のいずれかに記載の首関節構造。
【請求項８】
請求項１乃至７のいずれかに記載された首関節構造を備えた人形。
【発明の詳細な説明】
【技術分野】
【０００１】
本発明は、首関節構造及び該首関節構造を備えた人形に関するものである。
【背景技術】
【０００２】
周知のとおり、関節を可動できる人形のスタンダードな構造の一つとして、人形を関節に当たる位置で分割して各部材を中空状に形成し、各部材の中空部に弾性体を通して牽引することによって連結する構造がある。この構造を採用した人形は、人形の関節に当たる部分に複雑な機構を使用する必要がなく、各関節に部材の接合線や機構が多く露出せず、外観がスマートになるため、従来から多くの人形に採用されている。
【０００３】
例えば、後出特許文献１には、空洞状の胴体部と、この胴体部の上部に屈曲自在に弾発的に連繋する頭体部とを有しており、胴体部の上部面は外部に開口されていると共に、その開口部分における外側面はほぼ球面状に抉られている頭体連結凹部が形成されており、頭体部は、頭体連結凹部内に下端面が当接しながらいずれの方向へも旋回、回転、揺動する筒状の頸部分を一体状に有しており、胴体部と頭体部とは弾性紐材によって互いに牽引されるように連繋されている人形が開示されている。
【０００４】
また、後出特許文献２には、頭部の下面部を凸球面状に形成すると共にフックを下方に向けた状態で突設し、胴体部に上面の中央部から下面に至る貫通孔であって少なくとも上面即ち首部位置の開口部が頭部下部の首部直径よりもやや小さい内径にした貫通孔を形成し、胴体部の貫通孔に挿通したコイルばねの一端を下面の開口部位置で係止ピンに係止すると共に他端を頭部のフックに係止し、頭部と胴体部とを接合した人形が開示されている。
【先行技術文献】
【特許文献】
【０００５】
【特許文献１】実用新案登録第３０６８７０３号公報
【特許文献２】実開平３−７８５９５号公報
【発明の概要】
【発明が解決しようとする課題】
【０００６】
ところが、特許文献１及び２に開示された人形のように頭部材と胴部材とを弾性体によって互いに牽引して連結した構造の首関節においては、首関節を大きく屈曲させるために、例えば、頭部材の胴部材に対向する面を下向き凹状に形成し、首関節をある程度屈曲させるまで弾性体が頭部材の下端に干渉しないように構成する必要があるが、このような構成を採用すると、首関節を屈曲しない状態においては、頭部材と胴部材との接触面積が小さくなり、かつ、頭部材から胴部材に渡される弾性体が下向き凹部内を自由に動くことができるため、胴部材に対して頭部材を安定して固定させることができず、また、首関節を屈曲した状態においては、頭部材から胴部材に渡される弾性体が一箇所で大きく屈曲することになり、これに伴って弾性体の折れ曲がった部分に強い弾発力が働くため、胴部材に対して頭部材を安定して固定させることができず、人形を好みの姿勢に維持することが困難であるという問題点があった。
【０００７】
そこで、本発明者は、首関節が屈曲した状態・屈曲していない状態にかかわらず首部に対して頭部を安定して固定させることができ、かつ、首関節を大きく屈曲させることができる首関節構造を得ることを技術的課題として、その具現化をはかるべく、試行錯誤的に試作・実験を重ねた結果、頭部と首部とが別部材によって構成されており、頭部は首部と対向する面に開口する通孔を有しており、首部は頭部と対向する面に開口する通孔を有しており、頭部と首部がそれぞれの通孔に渡された弾性体によって互いに牽引するように連結されている首関節構造において、頭部と首部との間に関節部材が設け、関節部材に頭部の通孔と首部の通孔とを連通させる貫通孔を形成すると共に該貫通孔に頭部と首部の間に渡される弾性体を通し、関節部材の貫通孔を頭部側から首部側に向かって幅広になるように形成すれば良いという刮目すべき知見を得、前記技術的課題を達成したものである。
【課題を解決するための手段】
【０００８】
前記技術的課題は、次の通りの本発明によって解決できる。
【０００９】
すなわち、本発明に係る首関節構造は、頭部と首部とが別部材によって構成されており、両部が弾性体によって互いに牽引するように連結されている首関節構造であって、頭部と首部との間に関節部材が設けられており、頭部には関節部材と接触する面に向かって開口する通孔が形成されており、首部には関節部材と接触する面に向かって開口する通孔が形成されており、関節部材には頭部の通孔と首部の通孔とを連通させる貫通孔が形成されており、弾性体は、関節部材の貫通孔に通され、かつ、頭部の通孔に通された一端が該通孔の開口よりも内方に位置付けられていると共に首部の通孔に通された一端が該通孔の開口よりも内方に位置付けられているものである。また、本発明は、前記首関節構造において、関節部材の貫通孔が頭部側から首部側に向かって幅広になるように形成されているものである。
【００１０】
また、本発明は、前記いずれかの首関節構造において、関節部材の周面に貫通孔まで達する切欠溝が形成されており、関節部材が切欠溝を介して弾性体に着脱可能に設けられているものである。
【００１１】
また、本発明は、前記首関節構造において、首部の頭部と対向する面に関節部材の切欠溝に嵌り込んで関節部材の水平方向への回転を規制する突起が設けられており、頭部の前後方向の傾きに伴って関節部材が切欠溝を突起に嵌め込んだ状態で回転するものである。
【００１２】
また、本発明は、前記いずれかの首関節構造において、関節部材の切欠溝が貫通孔に向かって幅狭になるように形成されているものである。
【００１３】
また、本発明は、前記いずれかの首関節構造において、関節部材に頭部の開口に嵌り込む突起が設けられているものである。
【００１４】
また、本発明は、前記いずれかの首関節構造において、首部の頭部と対向する面の上端が前方から後方に向かって下がるように傾斜しているものである。
【００１５】
また、本発明に係る人形は、前記いずれかの首関節構造を備えたものである。
【発明の効果】
【００１６】
本発明によれば、頭部と首部との間に関節部材を設け、関節部材に頭部の通孔と首部の通孔とを連通させる貫通孔を形成して該貫通孔に頭部から首部に渡される弾性体を通し、関節部材の貫通孔を頭部側から首部側に向かって幅広になるように形成したので、首関節を屈曲させた際に、頭部と首部との間で関節部材が自由に回転し、首関節内部に形成された弾性体が通される連通孔が首関節の屈曲に応じて湾曲した状態となり、頭部から首部に渡された弾性体が連通孔に沿って複数箇所で折り曲げられた状態となって該弾性体の折れ曲がった部分に生じる弾発力が軽減され、これにより、首関節の屈曲した状態が安定する。また、前記のように関節部材の回転によって連通孔を湾曲させる構成となっているため、各部材を密着させたとしても弾性体が大きく屈曲させることなく首関節を屈曲することができ、これにより、首関節の屈曲しない状態が安定する。
【００１７】
従って、本発明の産業上利用性は非常に高いといえる。
【図面の簡単な説明】
【００１８】
【図１】実施の形態１に係る首関節を示した分解斜視図である。
【図２】図１に示す首関節における頭部材の本体を示した斜視図である。
【図３】図１に示す首関節における頭部材の蓋体を示した斜視図である。
【図４】図１に示す首関節における関節部材を示した斜視図である。
【図５】図１に示す首関節における胴部材を示した斜視図である。
【図６】実施の形態１に係る首関節の動作を示した縦断面図である。
【図７】実施の形態２に係る変形例１の関節部材を示した斜視図である。
【図８】図７に示す関節部材を前方から目視した状態を示した正面図である。
【図９】実施の形態２に係る変形例１の関節部材を採用した首関節の動作を示した縦断面図である。
【図１０】実施の形態２に係る変形例２の関節部材を示した斜視図である。
【図１１】図１０に示す関節部材を前方から目視した状態を示した正面図である。
【図１２】実施の形態３に係る変形例２の関節部材を採用した首関節を示した縦断面図である。
【図１３】実施の形態３に係る関節部材を示した斜視図である。
【図１４】図１２に示す関節部材を前方から目視した状態を示した正面図である。
【図１５】実施の形態３に係る胴部材の首部を示した斜視図である。
【図１６】実施の形態３に係る首関節の動作を示した縦断面図である。
【発明を実施するための形態】
【００１９】
以下、本発明の実施の形態を説明する。
【００２０】
実施の形態１．
【００２１】
本実施の形態に係る首関節は、図１に示すように、人形の頭部を構成する頭部材１と、人形の首部、胸部、腹部及び腰部を構成する胴部材２（腹部及び腰部は図示せず）と、頭部材１と胴部材２の首部３との間に位置付けられる関節部材４と、頭部材１と胴部材２の首部３との間に関節部材４を挟んだ状態で頭部材１と胴部材２を互いに牽引する弾性体５とを備えている。なお、胴部材２に両腕部材（図５参照）及び両脚部材（図示せず）を連結することによって人形を構成することができる。
【００２２】
頭部材１は、中空状に形成されている（図６の（ａ）参照）。また、頭部材１の中空部６は、頭部材１の首部３と対向する面に形成された略球面状の下向き凹部７に向かって開口する通孔８と繋がっている。そして、頭部材１は、人形の頭部における顔部、前頭部の下部、両側頭部の下部及び後頭部の下部に当たる部分を構成する本体９と、人形の頭部における頭頂部、前頭部の上部、両側頭部の上部及び両後頭部部の上部に当たる部分を構成する蓋体１０とに二分割されている。
【００２３】
本体９は、図２に示すように、蓋体１０と接合される端面１１の両側頭部に当たる位置に嵌合受け部１２が形成されている。さらに、本体９の内面には、通孔８を跨いで横切るように保持溝１３が形成されており、前頭部に当たる位置に鉤爪受け部１４が形成されている。なお、保持溝１３には、通孔８の横幅よりも幅広に形成されたＳ字状の掛け具１５の下端が嵌め込まれており、掛け具１５には、通孔８に通される弾性体５の一端が掛け止められる。
【００２４】
蓋体１０は、図３に示すように、本体９と接合される端面１６に本体９の端面１１と接合させた状態で該本体９の端面１１の内側に嵌り込む段差部１７が突出している。なお、段差部１７は、本体９と接合される端面１６の後頭部側を除く内周に形成されている。また、蓋体１０には、両側頭部に当たる位置に段差部１７よりも高く突出して本体９の端面１１に形成された嵌合受け部１２に嵌り込む嵌合部１８が形成されており、また、前頭部に当たる位置の内面から段差部１７を乗り越えるように鉤爪を伸ばす鉤爪部１９が形成されている。
【００２５】
関節部材４は、図４に示すように、球体状に形成されている。そして、関節部材４には、上下方向に貫通するように貫通孔２０が形成されており、貫通孔２０は、上側の開口２１から下側の開口２２に向かうに従って直径が広がるように形成されている。
【００２６】
胴部材２は、中空状に形成されており、図５に示すように、胸部から上方に伸びるように首部３が形成されている。そして、胴部材２の中空部（図示せず）は、首部３を通って該首部３の頭部材１と対向する面に形成された略球面状の上向き凹部２３に向かって開口する通孔２４と繋がっている。また、首部３の上端は、側面視した状態で前側から後側に向かって下がるように傾斜しており、首部３の上向き凹部２３には、通孔２４の開口を囲むように環状の滑り止め２５が固定されている。
【００２７】
弾性体５としては、例えば、ゴム紐、バネなどを使用することができるが、これらのものに限らず、首部３に対して頭部材１を揺動させた際に、頭部材２を所定位置で固定できる程度に各部材を強く牽引することができる張力を有するものであればよい。
【００２８】
次に、実施の形態１に係る首関節の組み立て手順を説明する。
【００２９】
先ず、胴部材２の中空部内に固定された掛け具（図示せず）に弾性体５の一端を引っ掛け、弾性体５の他端を首部３の通孔２４を介して胴部材２の外方へ引き出す。次に、首部３の通孔２４から胴部材２の外方へ引き出された弾性体５の他端を関節部材４の貫通孔２０に通し、関節部材４を首部３の上向き凹部２３に嵌め込む。なお、弾性体５の他端を関節部材４の貫通孔２０に通す際には、関節部材４の直径が大きい下側の開口２２から直径が小さい上側の開口２１へと通す。次に、関節部材４の貫通孔２０から引き出された弾性体５の他端を頭部材１における本体９の通孔８を介して該本体９の内方へ引き入れ、関節部材４を頭部材１の下向き凹部７に嵌め込む。次に、本体９の通孔８から本体９の内方へ引き入れられた弾性体５を引っ張った状態を維持し、そのままの状態で弾性体５の他端をＳ字状の掛け具１５に引っ掛け、掛け具１５を保持溝１３に固定する。最後に、本体９に蓋体１０を被せて固定する。なお、本体９に蓋体１０を被せる際には、蓋体１０の鉤爪部１９の先端を本体９の鉤爪受け部１４に嵌め込み、さらに、本体９の端面１１と蓋体１０の端面１６を合わせることにより、蓋体１０の端面１６に形成された段差部１７を本体９の端面１１の内側に嵌め込むと共に、蓋体１０の端面１６に形成された嵌合部１８を本体９の端面１１の嵌合受け部１２に嵌め込む。
【００３０】
次に、実施の形態１に係る首関節の動作を説明する。
【００３１】
首関節を組み立てると、図６の（ａ）に示すように、首関節内部に頭部材１の通孔８、関節部材４の貫通孔２０及び首部３の通孔２４が連通してなる連通孔２６が形成され、連通孔２６に弾性体５が通された状態となる。そして、頭部材１の顔部が正面を向くように首部３に対する頭部材１の傾きを調整した状態では、首関節内部の連通孔２６が上下に向かって直線状に伸びた状態となり、連通孔２６に通された弾性体５は屈曲することなく上下に伸びる。
【００３２】
次に、頭部材１の顔部を正面に向けた状態から俯けるように首部３に対して頭部材１を前方（図６の（ａ）における矢印Ａ方向）に傾けると、頭部材１の傾きが増すに従って連通孔２６に通された弾性体５も前方へ大きく倒れ込むように傾き、この時、前方へ倒れ込むように傾いた弾性体５が関節部材４の貫通孔２０内面前側に接触して該関節部材４を前方へ回転させる。これにより、頭部材１の顔部が俯くように首部３に対する頭部材１の傾きを調整した状態では、図６の（ｂ）に示すように、首関節内部の連通孔２６が関節部材４の回転に伴って前方へ湾曲した状態となり、連通孔２６に通された弾性体５は関節部材４の貫通孔２０における上側の開口２１及び下側の開口２２の二箇所で前方へと屈曲する。
【００３３】
次に、頭部材１の顔部を正面に向けた状態から仰向けるように首部３に対して頭部材１を後方（図６の（ａ）における矢印Ｂ方向）に傾けると、頭部材１の傾きが増すに従って連通孔２６に通された弾性体５も後方へ大きく倒れ込むように傾き、この時、後方へ倒れ込むように傾いた弾性体５が関節部材４の貫通孔２０内面後側に接触して該関節部材４を後方へ回転させる。これにより、頭部材１の顔部が仰向くように首部３に対する頭部材１の傾きを調整した状態では、図６の（ｃ）に示すように、首関節内部の連通孔２６が関節部材の回転に伴って後方へ湾曲した状態となり、連通孔２６に通された弾性体５は関節部材４の貫通孔２０における上側の開口２１及び下側の開口２２の二箇所で後方へと屈曲する。
【００３４】
また、頭部材１の顔部を正面に向けた状態から左（右）に傾げるように首部３に対して頭部材１を左方（右方）に傾けると、頭部材１の傾きが増すに従って連通孔２６に通された弾性体５も左方（右方）へ大きく倒れ込むように傾き、この時、左方（右方）へ倒れ込むように傾いた弾性体５が関節部材４の貫通孔２０内面左側（右側）に接触して該関節部材４を左方（右方）へ回転させる。これにより、頭部材１の顔部が左（右）に傾げるように首部３に対する頭部材１の傾きを調整した状態では、首関節内部の連通孔２６が関節部材４の回転に伴って左方（右方）へ湾曲した状態となり、連通孔２６に通された弾性体５は関節部材４の貫通孔２０における上側の開口２１及び下側の開口２３の二箇所で左方（右方）へと屈曲する。
【００３５】
なお、本実施の形態に係る首関節においては、関節部材の貫通孔を上側の開口から下側の開口に向かうに従って直径が大きくなるように形成したので、首部に対して頭部材を前後左右いずれの方向に傾けた場合においても、関節部材の回転に伴う連通孔の湾曲を比較的小さく抑えることができ、連通孔に通された弾性体を大きく屈曲させる必要がなく、首部に対して頭部材を傾けた際に弾性体の各屈曲箇所に働く弾発力を軽減することができる。また、関節部材が頭部材及び胴部材の首部のいずれにも固定されず自由に回転するので、弾性体の関節部材の両開口における屈曲度合いがいずれか一方に偏らないように自動的に調整され、弾性体が関節部材の両開口で均等に屈曲されるようになり、これによっても首部に対して頭部材を傾けた際に弾性体の各屈曲箇所に働く弾発力を軽減することができる。
【００３６】
実施の形態２．
【００３７】
本実施の形態は実施の形態１における関節部材の変形例である。なお、図７〜図９は本実施の形態における変形例１を示しており、図１０〜図１２は本実施の形態に係る変形例２を示しており、図７〜図１２において図１〜図６と同一符号は同一又は相当部分を示している。
【００３８】
変形例１：本変形例に係る関節部材２７は、図７及び図８に示すように、略球体状に形成されている。そして、関節部材２７には、上下方向に貫通するように貫通孔２０が形成されており、貫通孔２０は、上側の開口２１から下側の開口２２に向かうに従って直径が広がるように形成されている。また、関節部材２７の周面には、貫通孔２０まで達する切欠溝２８が形成されている。切欠溝２８は、関節部材２７の上側から下側に向かうに従って幅が広くなるように形成されており、切欠溝２８の上端は貫通孔２０の上側の開口２１よりも幅が狭く、切欠溝２８の下端は貫通孔２０の下側の開口２１と同じ幅になっている。そして、切欠溝２８の上部２９は、貫通孔２０に向かうに従って幅が狭くなるように形成されており、切欠溝２８の幅狭に形成された上部２９の上側端部３０は、図９の（ａ）に示すように、貫通孔２０に通される弾性体５の幅よりも狭くなっている。
【００３９】
次に、本変形例に係る関節部材２７を採用した首関節の組み立て手順を説明する。
【００４０】
先ず、胴部材２の中空部内に固定された掛け具（図示せず）に弾性体５の一端を引っ掛け、弾性体５の他端を首部３の通孔２４を介して胴部材２の外方へ引き出す。次に、首部３の通孔２４から胴部材２の外方へ引き出された弾性体５の他端を頭部材１における本体９の通孔８を介して該本体９の内方へ引き入れる。次に、本体９の通孔８から本体９の内方へ引き入れられた弾性体５を引っ張った状態を維持し、そのままの状態で弾性体５の他端をＳ字状の掛け具１５に引っ掛け、掛け具１５を保持溝１３に固定する。次に、本体９に蓋体１０を被せて固定する。なお、本体９に蓋体１０を被せる際には、蓋体１０の鉤爪部１９の先端を本体９の鉤爪受け部１４に嵌め込み、さらに、本体９の端面１１と蓋体１０の端面１６を合わせることにより、蓋体１０の端面１６に形成された段差部１７を本体９の端面１１の内側に嵌め込むと共に、蓋体１０の端面１６に形成された嵌合部１８を本体９の端面１１の嵌合受け部１２に嵌め込む。次に、弾性体５の張力に抗する力を加えて頭部材１と胴部材２とを引き離した状態とし、この状態において頭部材１と胴部材２との間に露出した弾性体５に関節部材２７を嵌め込む。なお、弾性体５は、弾性体５の弾力性を利用して切欠溝２８の弾性体５の幅よりも幅狭に形成された部分に押し込んで貫通孔２０まで嵌め込む。最後に、弾性体５の張力に抗する力を取り除き、頭部材１の下向き凹部７に関節部材２７の上部を嵌め込むと共に、胴部材２における首部３の上向き凹部２３に関節部材２７の下部を嵌め込み、頭部材１と胴部材２の首部３との間に関節部材２７を挟み込む。
【００４１】
次に、本変形例に係る関節部材２７を採用した首関節の動作を説明する。
【００４２】
首関節を組み立てると、図９の（ａ）に示すように、首関節内部に頭部材１の通孔８、関節部材２７の貫通孔２０及び首部３の通孔２４が連通してなる連通孔２６が形成され、連通孔２６に弾性体５が通された状態となる。そして、頭部材１の顔部が正面を向くように首部３に対する頭部材１の傾きを調整した状態では、首関節内部の連通孔２６が上下に向かって直線状に伸びた状態となり、連通孔２６に通された弾性体５は屈曲することなく上下に伸びる。
【００４３】
次に、頭部材１の顔部を正面に向けた状態から俯けるように首部３に対して頭部材１を前方（図９（ａ）における矢印Ａ方向）に傾けると、頭部材１の傾きが増すに従って連通孔２６に通された弾性体５も前方へ大きく倒れ込むように傾き、この時、前方へ倒れ込むように傾いた弾性体５が関節部材２７の切欠溝２８における弾性体５の幅よりも幅狭に形成された部分に引っ掛かって該関節部材２７を前方へ回転させる。これにより、頭部材１の顔部が俯くように首部３に対する頭部材１の傾きを調整した状態では、図９の（ｂ）に示すように、首関節内部の連通孔２６が関節部材２７の回転に伴って前方へ湾曲した状態となり、連通孔２６に通された弾性体５は関節部材２７の切欠溝２８における弾性体５の幅よりも幅狭に形成された部分（上側端部３０）の上・下端の二箇所で前方へと屈曲する。この時、関節部材２７の切欠溝２８における弾性体５の幅よりも幅広に形成された部分に連通孔２６に通された弾性体５が嵌り込んだ状態となる。
【００４４】
次に、頭部材１の顔部を正面に向けた状態から仰向けるように首部３に対して頭部材１を後方（図９の（ａ）における矢印Ｂ方向）に傾けると、頭部材１の傾きが増すに従って連通孔２６に通された弾性体５も後方へ大きく倒れ込むように傾き、この時、後方へ倒れ込むように傾いた弾性体５が関節部材２７の貫通孔２０内面後側に接触して該関節部材２７を後方へ回転させる。これにより、頭部材１の顔部が仰向くように首部３に対する頭部材１の傾きを調整した状態では、図９の（ｂ）に示すように、首関節内部の連通孔２６が関節部材２７の回転に伴って後方へ湾曲した状態となり、連通孔２６に通された弾性体５は関節部材２７の貫通孔２０における上側の開口２１及び下側の開口２２で後方へと屈曲する。
【００４５】
また、頭部材１の顔部を正面に向けた状態から左（右）に傾げるように首部３に対して頭部材１を左方（右方）に傾けると、頭部材１の傾きが増すに従って連通孔２６に通された弾性体５も左方（右方）へ大きく倒れ込むように傾き、この時、左方（右方）へ倒れ込むように傾いた弾性体５が関節部材２７の貫通孔２０内面左側（右側）に接触して該関節部材２７を左方（右方）へ回転させる。これにより、頭部材１の顔部が左（右）に傾げるように首部３に対する頭部材１の傾きを調整した状態では、首関節内部の連通孔２６が関節部材２７の回転に伴って左方（右方）へ湾曲した状態となり、連通孔２６に通された弾性体５は関節部材２７の貫通孔２０における上側の開口２１及び下側の開口２２で左方（右方）へと屈曲する。
【００４６】
変形例２：本変形例に係る関節部材３１は、図１０及び図１１に示すように、略球体状下部３２と傘状上部３３とが一体に形成されており、前記変形例１に係る関節部材２７よりも傘状上部３３の分だけ上下方向に長くなっている。そして、関節部材３１には、上下方向に貫通するように貫通孔２０が形成されており、貫通孔２０は、上側の開口２１から下側の開口２２に向かうに従って直径が広がるように形成されている。また、関節部材３１の周面には、貫通孔２０まで達する切欠溝３４が形成されている。切欠溝３４は、関節部材３１の上側から下側に向かうに従って幅が広くなるように形成されており、切欠溝３４の上端は貫通孔２０の上側の開口２１よりも幅が狭く、切欠溝３４の下端は貫通孔２０の下側の開口２１と同じ幅になっている。そして、切欠溝３４の上部３５は、貫通孔２０に向かうに従って幅が狭くなるように形成されている。さらに、切欠溝３４の幅狭に形成された上部３５の上側端部３６は、図１２に示すように、貫通孔２０に通される弾性体５の幅よりも狭くなっている。
【００４７】
本変形例に係る関節部材３１を採用した首関節も前記変形例１に係る関節部材を採用した首関節と同様に組み立てることができると共に同様の動作を行うことができる。
【００４８】
本実施の形態に係る関節部材によれば、関節部材に貫通孔と繋がる切欠溝を形成したので、人形に着用させる衣装の襟形状に合わせて関節部材を容易に変更して人形の首部分の長さを調節することができる。また、関節部材における切欠溝に貫通孔に通される弾性体の幅よりも狭くなっている部分を設けたので、首部に対して頭部材を前方へ傾けた際に、前方へ倒れ込むように傾いた弾性体が関節部材の切欠溝における弾性体の幅よりも幅狭に形成された部分に引っ掛かって該関節部材を前方へ回転させるため、前記実施の形態１と同様の作用効果を得ることができる。
【００４９】
なお、本実施の形態においては、関節部材に形成された切込溝の一部（上側端部）に貫通孔に通される弾性体の幅よりも狭くなっている部分を設けたが、切込溝の上端から下端までを貫通孔に通される弾性体の幅よりも狭くなるようにしてもよい。
【００５０】
実施の形態３．
【００５１】
本実施の形態は、前記実施の形態２における変形例２の関節部材を採用した首関節の変形例であり、図１３〜図１５において図１〜図９と同一符号は同一又は相当部分を示している。
【００５２】
本実施の形態に係る関節部材３７は、図１３及び図１４に示すように、略球体状に形成されている。そして、関節部材３７には、上下方向に貫通するように貫通孔２０が形成されており、貫通孔２０は、上側の開口２１から下側の開口２２に向かうに従って直径が広がるように形成されている。また、関節部材３５の周面には、貫通孔２０まで達する切欠溝２８が形成されている。切欠溝２８は、関節部材３７の上側から下側に向かうに従って幅が広くなるように形成されており、切欠溝２８の上端は貫通孔２０の上側の開口２１よりも幅が狭く、切欠溝２８の下端は貫通孔２０の下側の開口２１と同じ幅になっている。そして、切欠溝２８の上部２９は、貫通孔２０に向かうに従って幅が狭くなるように形成されている。さらに、切欠溝２８の幅狭に形成された上部２９の上側端部３０は、図１６の（ａ）に示すように、関節部材３７を頭部材１と胴部材２における首部３との間に挟み込むように位置付けた状態において貫通孔２０に通される弾性体５の幅よりも狭くなっている。また、関節部材３７の上端には、貫通孔２０の切欠溝２８が形成された面と対向する面を上方に延長させてなる突起３８が形成されている。
【００５３】
本実施の形態に係る胴部材２は、中空状に形成されており、図１５に示すように、胸部から上方に伸びるように首部３が形成されている。そして、胴部材２の中空部（図示せず）は、首部３を通って該首部３の頭部材１と対向する面に形成された略球面状の上向き凹部２３に向かって開口する通孔２４と繋がっている。また、首部３の上端は、側面視した状態で前側から後側に向かって下がるように傾斜しており、首部３の上向き凹部２３には、開口を囲むように環状の滑り止め２５が固定されていると共に、開口の前側に上方へと伸びる突起３９が形成されている。なお、突起３９は、首部３の上向き凹部２３に関節部材３７を嵌め込んだ状態において関節部材３７における切欠溝２８の下部に遊びを持たせた状態で嵌り込む形状に形成されている。
【００５４】
本実施の形態によれば、関節部材３７に頭部材１の通孔８に嵌り込む突起３８を形成したので、首部３に対して頭部材１を前方へ傾けた際に、図１６の（ｂ）に示すように、頭部材１の通孔８の後端が突起３８に接触して関節部材３７を前方へ押すため、関節部材３７が切欠溝２８における弾性体５の引っ掛かりのみによって前方へ回転する場合に比べて関節部材３７の貫通孔２０から弾性体５が外れ難くなる。また、首部３に関節部材３７の切欠溝２８に嵌まり込む突起３９を形成したので、首部３に対して頭部材１を水平方向に回転させたとしても、切欠溝２８に嵌り込んだ突起３９によって関節部材３７が大きく水平方向に回転することが阻止され、切欠溝２８の開口方向が一方向に固定される。なお、首部３の突起３９は、関節部材３７における切欠溝２８の下部に遊びを持たせた状態で嵌り込む形状になっているため、首部３に対して頭部材１を左右方向に傾けた際に、関節部材３７の左右方向への回転を阻害しない。
【符号の説明】
【００５５】
１  頭部材
２  胴部材
３  首部
４  関節部材
５  弾性体
６  中空部
７  下向き凹部
８  通孔
９  本体
１０  蓋体
１１  端面
１２  嵌合受け部
１３  保持溝
１４  鉤爪受け部
１５  掛け具
１６  端面
１７  段差部
１８  嵌合部
１９  鉤爪部
２０  貫通孔
２１  開口
２２  開口
２３  上向き凹部
２４  通孔
２５  滑りとめ
２６  連通孔
２７  関節部材
２８  切欠溝
２９  上部
３０  上側端部
３１  関節部材
３２  略球体状下部
３３  傘状上部
３４  切欠溝
３５  上部
３６  上側端部
３７  関節部材
３８  突起
３９  突起
【図１】
0005923809.tif 000002
【図２】
0005923809.tif 000003
【図３】
0005923809.tif 000004
【図４】
0005923809.tif 000005
【図５】
0005923809.tif 000006
【図６】
0005923809.tif 000007
【図７】
0005923809.tif 000008
【図８】
0005923809.tif 000009
【図９】
0005923809.tif 000010
【図１０】
0005923809.tif 000011
【図１１】
0005923809.tif 000012
【図１２】
0005923809.tif 000013
【図１３】
0005923809.tif 000014
【図１４】
0005923809.tif 000015
【図１５】
0005923809.tif 000016
【図１６】
0005923809.tif 000017